(57)【要約】【課題】マクロセル及びスモールセルを用いて通信エリアを構築する移動通信システムにおいて、余剰なハンドオーバを抑制する。【解決手段】移動無線装置は、移動無線装置が存在する位置の周辺セルに対応する１つ以上の無線基地局装置から送信された報知信号を受信し、報知信号に含まれる周辺セルを識別するセル識別子と周辺セルがスモールセルかマクロセルかを識別するセルフラグとを取得してセルリストに記憶させ、呼接続対象の通信のサービスに対するサービス品質クラスを確認し、セルリスト中にスモールセルを示すセルフラグが含まれる場合に確認されたサービス品質クラスを用いて呼接続対象の通信のサービスが高スループットが要求されるサービスか否かを判断し、高スループットが要求されないサービスであると判断される場合にセルリストの中からマクロセルを選択し、選択されたマクロセルに対応する無線基地局装置へ呼接続要求信号を送信する。【選択図】図４
2015146541.tif 000002
【特許請求の範囲】
【請求項１】
移動無線装置が存在する位置の周辺セルに対応する１つ以上の無線基地局装置から送信された報知信号を受信し、受信された前記報知信号に含まれる前記周辺セルを識別するセル識別子と前記周辺セルがスモールセルかマクロセルかを識別するセルフラグとを取得し、取得された前記セル識別子及び前記セルフラグをセルリストに記憶させる測定部と、
呼接続対象の通信のサービスに対するサービス品質クラスを確認するサービス確認部と、
前記セルリスト中にスモールセルを示すセルフラグが含まれる場合に前記サービス確認部により確認された前記サービス品質クラスを用いて前記呼接続対象の通信のサービスが高スループットが要求されるサービスか否かを判断し、前記呼接続対象の通信のサービスが高スループットが要求されないサービスであると判断される場合に前記セルリストの中からマクロセルを選択し、選択された前記マクロセルに対応する無線基地局装置へ呼接続要求信号を送信する制御部と
を含む移動無線装置。
【請求項２】
前記移動無線装置と呼接続中の無線基地局装置から無線品質測定指示信号を前記測定部が受信した場合に、前記制御部は、前記呼接続対象の通信のサービスが高スループットが要求されないサービスであると判断される場合には前記セルリストの中からマクロセルを選択し、
前記測定部は、前記制御部により選択された前記マクロセルに対応する無線基地局装置から受信した報知信号の無線品質を測定し、測定された前記無線品質を含む無線品質報告信号を呼接続中の前記無線基地局装置へ送信する、請求項１に記載の移動無線装置。
【請求項３】
前記報知信号に含まれる前記セルフラグは、無線基地局装置と接続された制御端末装置から前記無線基地局装置へ送信される、請求項１又は２に記載の移動無線装置。
【請求項４】
前記報知信号に含まれる前記セルフラグは、日付、曜日、及び時刻に応じて前記セルフラグの設定が変更されるセルフラグ設定リストに従って前記制御端末装置から前記無線基地局装置へ送信される、請求項３に記載の移動無線装置。
【請求項５】
無線基地局装置に対応するセルを識別するセル識別子と前記セルがスモールセルかマクロセルかを識別するセルフラグとを含む報知信号を送信する前記無線基地局装置と、
移動無線装置が存在する位置の周辺セルに対応する１つ以上の無線基地局装置から送信された前記報知信号を受信し、受信された前記報知信号に含まれるセル識別子及びセルフラグを取得し、取得された前記セル識別子及び前記セルフラグをセルリストに記憶させ、呼接続対象の通信のサービスに対するサービス品質クラスを確認し、前記セルリスト中にスモールセルを示すセルフラグが含まれる場合に確認された前記サービス品質クラスを用いて前記呼接続対象の通信のサービスが高スループットが要求されるサービスか否かを判断し、前記呼接続対象の通信のサービスが高スループットが要求されないサービスであると判断される場合に前記セルリストの中からマクロセルを選択し、選択された前記マクロセルに対応する無線基地局装置へ呼接続要求信号を送信する移動無線装置と
を含む移動通信システム。
【請求項６】
移動無線装置が存在する位置の周辺セルに対応する１つ以上の無線基地局装置から送信された報知信号を受信し、
受信された前記報知信号に含まれる前記周辺セルを識別するセル識別子と前記周辺セルがスモールセルかマクロセルかを識別するセルフラグとを取得し、
取得された前記セル識別子及び前記セルフラグをセルリストに記憶し、
呼接続対象の通信のサービスに対するサービス品質クラスを確認し、
前記セルリスト中にスモールセルを示すセルフラグが含まれる場合に、前記サービス確認部により確認された前記サービス品質クラスを用いて前記呼接続対象の通信のサービスが高スループットが要求されるサービスか否かを判断し、
前記呼接続対象の通信のサービスが高スループットが要求されないサービスであると判断される場合に前記セルリストの中からマクロセルを選択し、
選択された前記マクロセルに対応する無線基地局装置へ呼接続要求信号を送信する
処理をコンピュータに実行させるセル選択制御プログラム。
【発明の詳細な説明】
【技術分野】
【０００１】
本発明は、移動無線装置、移動通信システム、及びセル選択制御プログラムに関する。
【背景技術】
【０００２】
近年、移動体通信では、スマートフォンと称される携帯電話やタブレット端末と称される情報通信端末装置の普及に伴って、トラフィック量が増加している。そこで、トラフィック量の増加に対応するために、無線アクセス方式としてOrthogonal Frequency Division Multiple Access（ＯＦＤＭＡ）を採用したLong Term Evolution（ＬＴＥ）に準拠した無線通信システムが構築されつつある。ＯＦＤＭＡは、ノイズに強く通話が切断されにくいCode Division Multiple Access（ＣＤＭＡ）と比較して周波数利用効率が高い無線アクセス方式である。このため、ＬＴＥは、無線通信システムの容量を増大できる無線通信方式の規格であり、トラフィック量の増加に対応し得る無線通信方式の規格と言える。
【０００３】
また、トラフィック量の増加に対応するために、マクロセルとスモールセルとが併用されたヘテロジニアスネットワークの構築が検討されている。図１は、例示的なセルの種別の説明図である。
【０００４】
セルとは、１つの無線基地局又は張出し基地局内の１つの子局がカバーする通信エリアの区画を指す。張出し基地局は、リモート設置型基地局とも称される無線基地局であり、ベースバンド信号の処理等を行う親局（Base Band Unit、ＢＢＵ）とアンテナを介して無線信号を送受信する１つ以上の子局（Remote Radio Head、ＲＲＨ）とから構成される。セルは、カバーされる通信区域（カバー範囲）の広さに従って、マクロセル及びスモールセルに区別される。マクロセルは、通信区域が広いセルであり、図１に示す一例では、セル半径が35 km以内の区域である。また、スモールセルは、通信範囲が狭いセルであり、図１に示す一例では、セル半径が2 km以内の区域である。また、図１に示すように、スモールセルは、マイクロセル（例えば、セル半径2 km以内区域）、ピコセル（例えば、セル半径200 m以内の区域）、及びフェムトセル（例えば、セル半径数十m以内の区域）に更に区別できる。
【０００５】
スモールセルは、マクロセルと比較して通信区域が狭いため、スモールセル内に存在する携帯電話や情報通信端末装置の数は、少なくなり得る。この結果、スモールセルを用いれば、単位面積当たりのトラフィック量が抑制されて高速のセルスループットが確保されやすくなる。そこで、通信区域が広い既存のマクロセルに加えて、携帯電話や情報通信端末装置が密集し得る区域にスモールセルが構築されるヘテロジニアスネットワークによれば、局所的に発生し得るトラフィック量の増加に対応して無線通信システムの容量を増大できる。
【０００６】
しかしながら、上述したようなヘテロジニアスネットワークでは、携帯電話や情報通信端末装置がセル間を移動する際に生じるハンドオーバの機会は、通信エリアがマクロセルのみから構築される通信ネットワークと比較して多くなり得る。図２は、ヘテロジニアスネットワークにおいて発生し得るハンドオーバの説明図である。図２に示した一例では、マクロセルＭＣ内に４つのスモールセルＳＣ−１〜ＳＣ−４が含まれている。また、図２に示す移動無線装置ＭＳは、前述した携帯電話及び情報通信端末装置の一例である。
【０００７】
図２に示すように、通信中の移動無線装置ＭＳを所持するユーザが太矢印で示すように移動すると、マクロセルＭＣからスモールセルＳＣ−１へのハンドオーバ（１）、及びスモールセルＳＣ−１からマクロセルＭＣへのハンドオーバ（２）が生じ得る。次に、マクロセルＭＣからスモールセルＳＣ−２へのハンドオーバ（３）、及びスモールセルＳＣ−２からマクロセルＭＣへのハンドオーバ（４）が生じ得る。以下同様に、ハンドオーバ（５）〜（８）が続いて生じ得る。このように、マクロセル内にスモールセルが配置されたヘテロジニアスネットワークでは、通信エリアがマクロセルのみから構成される通信ネットワークと比較してハンドオーバの機会が増加する。ハンドオーバの機会が増加すると呼損のリスクも増加し得る。そこで、呼損のリスクを抑制するために、余剰なハンドオーバは出来る限り抑制されることが好ましい。
【０００８】
なお、移動体通信のチャネル切り替え方式に関して次のような技術が知られている。すなわち、通信中のチャネルの電界強度の低下の度合いによって簡易型携帯電話が高速で移動しているか低速で移動しているかが判断される。簡易型携帯電話が高速で移動していると判断される場合には、電界強度が既定値以上あり電界強度の増加変化が一番大きい無線基地局が選択されてチャネル切り替えが行われる。
【先行技術文献】
【特許文献】
【０００９】
【特許文献１】特開平９−２８４８２６号公報
【発明の概要】
【発明が解決しようとする課題】
【００１０】
発明が解決しようとする課題は、マクロセル及びスモールセルを用いて通信エリアを構築する移動通信システムにおいて、余剰なハンドオーバを抑制することである。
【課題を解決するための手段】
【００１１】
一実施形態に従った移動無線装置は、測定部、サービス確認部、及び制御部を含む。制御部は、移動無線装置が存在する位置の周辺セルに対応する１つ以上の無線基地局装置から送信された報知信号を受信し、受信された報知信号に含まれる周辺セルを識別するセル識別子と周辺セルがスモールセルかマクロセルかを識別するセルフラグとを取得し、取得されたセル識別子及びセルフラグをセルリストに記憶させる。サービス確認部は、呼接続対象の通信のサービスに対するサービス品質クラスを確認する。制御部は、セルリスト中にスモールセルを示すセルフラグが含まれる場合にサービス確認部により確認されたサービス品質クラスを用いて呼接続対象の通信のサービスが高スループットが要求されるサービスか否かを判断し、呼接続対象の通信のサービスが高スループットが要求されないサービスであると判断される場合にセルリストの中からマクロセルを選択し、選択されたマクロセルに対応する無線基地局装置へ呼接続要求信号を送信する。
【発明の効果】
【００１２】
実施形態に従った移動無線装置によれば、マクロセル及びスモールセルを用いて通信エリアを構築する移動通信システムにおいて、余剰なハンドオーバを抑制することができる。
【図面の簡単な説明】
【００１３】
【図１】例示的なセルの種別の説明図である。
【図２】ヘテロジニアスネットワークにおいて発生し得るハンドオーバの説明図である。
【図３】第１の実施形態に従った移動通信システムの例示的な構成図である。
【図４】第１の実施形態に従った移動無線装置の例示的な機能構成図である。
【図５】例示的なＱＣＩの説明図である。
【図６】第１の実施形態に従ったセルリストの例図である。
【図７】第１の実施形態に従った移動無線装置の例示的なハードウェア構成図である。
【図８】第１の実施形態に従った無線基地局装置の例示的な機能構成図である。
【図９】第１の実施形態に従った無線装置の例示的なハードウェア構成図である。
【図１０】第１の実施形態に従った無線制御装置の例示的なハードウェア構成図である。
【図１１】第１の実施形態に従った移動管理装置の例示的な機能構成図である。
【図１２】第１の実施形態に従ったサービングゲートウェイの例示的な機能構成図である。
【図１３】第１の実施形態に従ったパケットデータネットワークゲートウェイの例示的な機能構成図である。
【図１４】第１の実施形態に従った制御端末装置の例示的なハードウェア構成図である。
【図１５】第１の実施形態に従った呼接続処理の例示的なシーケンス図である。
【図１６】第１の実施形態に従ったセル選択処理の例示的なフロー図である。
【図１７】第１の実施形態に従ったハンドオーバ処理の例示的なシーケンス図である。
【図１８】第１の実施形態に従ったセル選択制御が実行されない場合の例示的なハンドオーバ動作の説明図である。
【図１９】第１の実施形態に従ったセル選択制御が実行された場合の例示的なハンドオーバ動作の説明図である。
【図２０】第２の実施形態に従ったセルフラグ設定テーブルの例図である。
【図２１】第２の実施形態に従った制御端末装置の例示的なセルフラグ設定処理フロー図である。
【発明を実施するための形態】
【００１４】
以下、図面を参照しながら発明を実施するための形態を説明する。
＜第１の実施形態＞
図３は、第１の実施形態に従った移動通信システムの例示的な構成図である。図３に示すように、移動通信システム１は、移動無線装置１０−１〜１０−６、スモールセル用無線基地局装置（Base Transceiver Station for Small Cell、ＳＣ  ＢＴＳ）２０−１〜２０−３、及びマクロセル用無線基地局装置（Base Transceiver Station for Macro Cell、ＭＣ ＢＴＳ）３０を含む。移動通信システム１は、スモールセル用子局装置（Remote Radio Head for Small Cell、ＳＣ ＲＲＨ））４０−１〜４０−５、マクロセル用子局装置（Remote Radio Head for Macro Cell、ＭＣ ＲＲＨ）５０、及び親局装置（Base Band Unit、BBU）６０−１〜６０−２を含む。移動通信システム１は、移動管理装置（Mobility Management Entity、ＭＭＥ）７０−１〜７０−２、サービングゲートウェイ（Serving Gateway、S-GW）８０、ホーム加入者サーバ（Home Subscriber Server、ＨＳＳ）９０、及びパケットデータネットワークゲートウェイ（Packet data network Gateway、Ｐ−ＧＷ）１００を含む。移動通信システム１は、Policy and Charging Rule Function（ＰＣＲＦ）１１０、制御端末装置１２０、及びインターネット１３０を含む。
【００１５】
また、図３には、スモールセル１４０−１〜１４０−８及びマクロセル１５０−１〜１５０−２が示されている。すなわち、移動通信システム１は、通信エリアが複数のマクロセルでカバーされるだけでなく、任意のマクロセル内に１つ以上スモールセルが含まれ得るヘテロジニアスネットワークを構築する。
【００１６】
スモールセル１４０−１〜１４０−４は、マクロセル１５０−１内に含まれる。スモールセル１４０−１は、スモールセル用無線基地局装置２０−１により通信がカバーされるセルであり、スモールセル１４０−２〜１４０−４は、スモールセル用子局装置４０−１〜４０−３によりそれぞれ通信がカバーされるセルである。親局装置６０−１及びスモールセル用子局４０−１〜４０−３は、張出し基地局装置を構成する。マクロセル１５０−１は、マクロセル用無線基地局装置３０によって通信がカバーされるセルである。
【００１７】
スモールセル１４０−５〜１４０−８は、マクロセル１５０−２内に含まれる。スモールセル１４０−５〜１４０−６は、スモールセル用無線基地局装置２０−２〜２０−３によりそれぞれ通信がカバーされるセルであり、スモールセル１４０−７〜１４０−８は、スモールセル用子局装置４０−４〜４０−５によりそれぞれ通信がカバーされるセルである。マクロセル１５０−２は、マクロセル用子局５０により通信がカバーされるセルである。親局６０−２、スモールセル用子局４０−４〜４０−５、及びマクロセル用子局装置５０は、張出し基地局装置を構成する。
【００１８】
図３には、第１の実施形態に従った移動通信システム１の一例としてＬＴＥに準拠した移動通信システムが示されている。しかしながら、図３は、実施形態に従った移動通信システム１の一例であり、実施形態に従った移動通信システム１は、その他の無線通信方式に準拠してもよい。また、図３に示される各装置の数は、例示であり、実施形態に従った移動通信システム１に含まれる各装置の数は、任意であってよい。なお、以下の説明において、同一種類の複数の装置を特に区別しない場合には、同一種類の装置を示す参照符号のハイフン以下を記載しない。例えば、６つの移動無線装置１０−１〜１０−６を特に区別しない場合には、移動無線装置１０と記載する。
【００１９】
以下の説明では、スモールセル用子局装置４０及びマクロセル用子局装置５０を合わせて、子局装置と呼ぶ場合がある。こうした子局装置と親局装置６０とを合わせて、張出し基地局と呼ぶ場合がある。こうした張出し基地局、スモールセル用無線基地局装置２０、及びマクロセル用無線基地局装置３０を合わせて、無線基地局装置と呼ぶ場合がある。
【００２０】
図３に示した移動通信システム１において、移動管理装置７０、サービングゲートウェイ８０、ホーム加入者サーバ９０、及びパケットデータネットワークゲートウェイ１００は、コアネットワークに含まれる。コアネットワークは、例えば、Third Generation Partnership Project（３ＧＰＰ）に規定されるEvolved Packet Core（ＥＰＣ）である。
【００２１】
移動無線装置１０は、３ＧＰＰに規定されるUser Equipment（ＵＥ）を含み、例えば、スマートフォンと称される携帯電話やタブレット端末と称される情報通信端末装置である。図４は、第１の実施形態に従った移動無線装置の例示的な機能構成図である。図４に示すように、移動無線装置１０は、外部インタフェース（Interface、ＩＦ）部１１、制御部１２、記憶部１３、ベースバンド部１４、変調部１５、送信部１６、アンテナ１７（１７−１〜１７−２）、受信部１８、及び復調部１９を含む。
【００２２】
外部インタフェース部１１は、移動無線装置１０の利用者が移動無線装置１０に対する命令を入力するためのインタフェースである。また、外部インタフェース部１１は、移動無線装置１０による処理結果を表示するためのインタフェースである。
【００２３】
制御部１２は、移動無線装置１０全体の動作を制御する。また、制御部１２は、新たなに通信を開始するための呼接続、及び通信開始後に実行されるハンドオーバ等の呼処理を制御する。例えば、制御部１２は、外部インタフェース部１１を介して利用者により入力された命令を処理する。制御部１２は、無線基地局装置へ送信するデータをベースバンド部１４へ送信する。制御部１２は、アンテナ１７を介して無線基地局装置から受信した無線信号がベースバンド部１４により処理されたベースバンド信号を受信する。制御部１２は、受信されたベースバンド信号を処理した結果を記憶部１３に記憶させ、また、処理した結果を外部インタフェース部１１に表示させる。
【００２４】
また、制御部１２は、測定部１２Ａ及びサービス確認部１２Ｂを含む。測定部１２Ａは、移動無線装置１０が存在する位置の周辺の無線基地局装置から送信された報知信号をアンテナ１７、受信部１８、復調部１９、及びベースバンド部１４を介して受信する。無線基地局装置から送信される報知信号は、例えば、３ＧＰＰで規定されるDownlink Reference Signalといったパイロット信号である。報知信号には、当該セル内の全移動無線端末１０に共通する通信に必要な運用パラメータ等の報知情報が含まれ、各セルを識別するためのセル識別子（Identifier、ＩＤ）と、当該セルがスモールセルであるかマクロセルであるかを識別するためのセルフラグとが含まれる。測定部１２Ａは、受信された報知信号の無線品質を測定する。測定される無線品質は、例えば、報知信号の受信電界強度や搬送波対干渉雑音比である。測定部１２Ａは、受信された報知信号に含まれるセル識別子及びセルフラグを取得する。測定部１２Ａは、取得されたセル識別子及びセル識別フラグと、測定された無線品質とを記憶部１３内のセルリスト１３Ａに記憶させる。セルリスト１３Ａを作成及び更新するために測定部１２Ａにより実行される上述の処理は、定期的に実行されるセルサーチの際に実行される。
【００２５】
サービス確認部１２Ｂは、移動無線装置１０が新たに開始しようとする通信のサービス又は移動無線装置１０が現在通信しているサービスが属するサービス品質クラスを確認する。具体的には、サービス確認部１２Ｂは、移動無線装置１０が新たに開始しようとする通信のサービスが属するサービス品質クラス識別子（Quality of Service (QoS) Class Identifier、ＱＣＩ）を確認する。また、サービス確認部１２Ｂは、移動無線装置１０が現在通信しているサービスが属するＱＣＩを確認する。例えば、３ＧＰＰでは、図５に示すようなＱＣＩが定義されている。図５は、例示的なＱＣＩの説明図である。
【００２６】
移動無線装置１０と無線基地局装置との間で通信されるサービスには、例えば、通話、メール、ウェブ閲覧、テレビ電話、リアルタイムゲーム、及びストリーミングによる動画等がある。こうしたサービスは、図５に示すように、ビットレート保証（Guaranteed Bit Rate、ＧＢＲ）があるサービスとＧＢＲがないサービスとに大別される。ＧＢＲがあるサービスに対しては、高順位のサービス品質クラス、すなわち１位〜４位のＱＣＩが設定される。一方、ＧＢＲがないサービスに対しては、低順位のサービス品質クラス、すなわち５位〜９位のＱＣＩが設定される。サービス確認部１２Ｂは、移動無線装置１０が新たに開始しようとする通信のサービス又は移動無線装置１０が現在通信しているサービスに対するＱＣＩを確認する。サービス確認部１２Ｂは、確認されたサービス品質クラス、すなわちＱＣＩを制御部１２へ通知する。
【００２７】
制御部１２は、新たに通信を開始するサービスが高スループットが要求されるサービスであるか否かに従って、接続対象の無線基地局装置を選択する。また、制御部１２は、通信中のサービスが高スループットが要求されるサービスであるか否かに従って、接続対象の無線基地局装置、すなわちハンドオーバ先の無線基地局装置を選択する。具体的には、制御部１２は、サービス確認部１２Ｂから通知されたサービス品質クラスが高スループットが要求されるサービスを示すクラス（階級）であるか否かに従って、セルリスト１３Ａに記録されたセルの中からスモールセル又はマクロセルを選択する。
【００２８】
例えば、図５に示したＱＣＩの定義の一例では、ＧＢＲがあるサービスの内、ＱＣＩが１位である音声を除くサービス、すなわち、ＱＣＩが２位〜４位のサービスは、データサイズが大きいために高スループットが要求されることから、ＧＢＲが定義されている。前述したように、スモールセルは、マクロセルと比較して通信区域が狭いため、スモールセル内に存在する携帯電話や情報通信端末装置の数は、少なくなり得る。この結果、スモールセルを用いれば、単位面積当たりのトラフィック量が抑制されて高速のセルスループットが確保されやすくなる。そこで、制御部１２は、高スループットが必ずしも要求されないサービスの通信に対しては、セルリスト１３Ａ中の全てのセルからスモールセルを除外したセル、すなわちマクロセルを接続対象のセルとして選択する。図５の一例では、高スループットが必ずしも要求されないサービスは、ＱＣＩが１位及び５位〜９位の内の何れかであるサービスである。一方、制御部１２は、高スループットが要求されるサービスの通信に対しては、セルリスト１３Ａの全てのセルの中で無線品質のよいセルを接続対象のセルとして選択する。図５の一例では、高スループットが要求されるサービスは、ＱＣＩが２位〜４位の内の何れかであるサービスである。
【００２９】
移動無線装置１０が通信を新たに開始する場合には、制御部１２は、選択された接続対象のセルに対応する無線基地局装置へ接続要求信号を送信する。また、移動無線装置１０が通信中である場合には、測定部１２Ａは、選択された接続対象のセル、すなわちハンドオーバ先のセルに対応する無線品質を含む無線品質報告信号を接続中の無線基地局装置、すなわちハンドオーバ元のセルに対応する無線基地局装置へ送信する。
【００３０】
記憶部１３は、制御部１２及びベースバンド部１４により実行される処理プログラム及びデータや、制御部１２及びベースバンド部１４により処理されたデータが記憶される。記憶部１３には、移動無線装置１０が存在する位置の周辺のセルに関する情報が記録されたセルリスト１３Ａが含まれる。図６は、第１の実施形態に従ったセルリストの例図である。図６には、測定部１２Ａにより測定される報知信号の無線品質が報知信号の受信電界強度であるケースのセルリストが示されている。図６に示すように、移動無線装置１０が存在する位置の周辺の無線基地局装置から受信された報知情報に基づいて、セル識別子、受信電界強度、及びセルフラグが対応付けられてセルリスト１３Ａの各行に記録される。セルリスト１３Ａには、無線品質がよい順、例えば、受信電界強度が高い順に記録される。セルフラグは、例えば、スモールセルを示す値を１とし、マクロセルを示す値を０とする。セルリスト１３Ａは、セルサーチの際に測定部１２Ａにより定期的に実行される無線品質測定に従って更新される。
【００３１】
ベースバンド部１４は、無線基地局装置へ送信されるデータ信号を制御部１２から受信し、受信されたデータ信号をベースバンド処理する。処理されたベースバンド信号は、変調部１５により変調され、送信部１６によりアンテナ１７を介して無線基地局装置へ送信される。また、アンテナ１７を介して受信部１８が無線基地局装置から受信した無線信号は、復調部１９により復調される。復調された信号は、ベースバンド部１４によりベースバンド処理され、制御部１２へ送信される。
【００３２】
図７は、第１の実施形態に従った移動無線装置の例示的なハードウェア構成図である。図７に示すように、第１の実施形態に従った移動無線装置１０Ａは、プロセッサ１０Ａ−１、Application Specific Integrated Circuit（ＡＳＩＣ）１０Ａ−２、ストレージ１０Ａ−３、記憶媒体用ドライブ１０Ａ−４、入力装置１０Ａ−５、出力装置１０Ａ−６、無線通信装置１０Ａ−７、及びバス１０Ａ−８を含む。プロセッサ１０Ａ−１、ＡＳＩＣ１０Ａ−２、ストレージ１０Ａ−３、記憶媒体用ドライブ１０Ａ−４、入力装置１０Ａ−５、出力装置１０Ａ−６、及び無線通信装置１０Ａ−７は、バス１０Ａ−８を介して相互に接続される。
【００３３】
プロセッサ１０Ａ−１は、Central Processing Unit（ＣＰＵ）等の演算処理を行う論理回路である。ＡＳＩＣ１０Ａ−２は、例えば、Field Programmable Gate Array（ＦＰＧＡ）及びLarge Scale Integration（ＬＳＩ）等の回路である。プロセッサ１０Ａ−１及びＡＳＩＣ１０Ａ−２は、制御部１２及びベースバンド部１４に対応する。
【００３４】
ストレージ１０Ａ−３は、プロセッサ１０Ａ−１及びＡＳＩＣ１０Ａ−２により実行される処理プログラム、処理に用いられるデータ、及び処理結果のデータが格納する装置である。ストレージ１０Ａ−３は、記憶部１３に対応する。
【００３５】
記憶媒体用ドライブ１０Ａ−４は、記録媒体に記録されたプログラム及びデータを読み込み、及び／又はプロセッサ１０Ａ−１及びＡＳＩＣ１０Ａ−２により処理されたデータを記録媒体へ書き込む装置である。記録媒体は、例えば、Compact Disk Read Only Memory（ＣＤ−ＲＯＭ）、Digital Versatile Disk（ＤＶＤ）、Universal Serial Bus（ＵＳＢ）メモリ、及びフラッシュメモリ等である。
【００３６】
入力装置１０Ａ−５は、移動無線装置１０Ａの利用者が移動無線装置１０Ａへの命令を入力するための装置であり、例えば、キーボード、マウス、及びタッチパネル等である。出力装置１０Ａ−６は、プロセッサ１０Ａ−１及びＡＳＩＣ１０Ａ−２による処理結果を表示するための装置であり、例えば、液晶ディスプレイである。入力装置１０Ａ−５及び出力装置１０Ａ−６は、外部インタフェース部１１に対応する。
【００３７】
無線通信装置１０Ａ−７は、プロセッサ１０Ａ−１及びＡＳＩＣ１０Ａ−２からの命令に従い無線基地局装置へ送信されるデータを処理して無線信号を送信する装置である。また、無線通信装置１０Ａ−７は、無線基地局装置から受信した無線信号を処理してプロセッサ１０Ａ−１及びＡＳＩＣ１０Ａ−２へデータを出力する装置である。無線通信装置１０Ａ−７は、変調部１５、送信部１６、アンテナ１７、受信部１８、及び復調部１９に対応する。
【００３８】
スモールセル用無線基地局装置２０、マクロセル用無線基地局装置３０、並びにスモールセル用子局装置４０及びマクロセル用子局装置５０といった子局装置と親局装置６０とを含む張出し基地局は、例えば、３ＧＰＰに規定されるevolved Node B（ｅＮＢ）等の無線基地局装置である。図８は、第１の実施形態に従った無線基地局装置の例示的な機能構成図である。
【００３９】
図８に示すように、第１の実施形態に従った無線基地局装置２００は、無線装置２１０及び無線制御装置２２０を含む。無線装置２１０は、スモールセル用子局装置４０及びマクロセル用子局装置５０といった子局装置に対応し得る。無線制御装置２２０は、親局装置６０に対応し得る。なお、図８には、１つの無線装置２１０が記載されているが、無線基地局装置２００に含まれる無線装置２１０の数は、複数であってよい。
【００４０】
無線装置２１０は、第１インタフェース（ＩＦ）部２１１、変調部２１２、送信部２１３、アンテナ２１４（２１４−１〜２１４−２）、受信部２１５、及び復調部２１６を含む。
【００４１】
第１インタフェース部２１１は、無線装置２１０が無線制御装置２２０と信号を送受信するための装置である。第１インタフェース部２１１と無線制御装置２２０の第３インタフェース部２２５とは、光ケーブルにより接続され、Common Public Radio Interface（ＣＰＲＩ）といった所定の規格に準拠し得る。
【００４２】
変調部２１２は、第１インタフェース部２１１を介して無線制御装置２２０から受信したベースバンド信号を変調する。送信部２１３は、変調部２１２により変調された無線信号をアンテナ２１４を介して移動無線装置１０へ向けて送信する。
【００４３】
受信部２１５は、移動無線装置１０から送信された無線信号をアンテナ２１４を介して受信する。復調部２１６は、受信部２１５により受信された無線信号を復調し、復調信号を第１インタフェース部２１１を介して無線制御装置２２０へ送信する。
【００４４】
無線制御装置２２０は、第２インタフェース（ＩＦ）部２２１、制御部２２２、記憶部２２３、ベースバンド部２２４、及び第３インタフェース（ＩＦ）部２２５を含む。
【００４５】
第２インタフェース部２２１は、移動管理装置７０及びサービングゲートウェイ８０と無線制御装置２２０が信号を送受信するための装置である。第３インタフェース部２２５は、無線制御装置２２０が無線装置２１０と信号を送受信するための装置である。
【００４６】
制御部２２２は、無線基地局装置２００全体の動作を制御する。また、制御部２２２は、移動無線装置１０との間の呼接続に関する処理を制御する。制御部２２２は、ハンドオーバを制御するハンドオーバ（Hand Over、ＨＯ）制御部２２２Ａを含む。例えば、制御部２２２は、移動無線装置１０から受信した接続要求信号に従って移動無線装置１０との呼接続処理を行う。制御部２２２は、第２インタフェース部２２１を介してサービングゲートウェイ８０から受信したユーザパケットデータを処理し、処理されたユーザパケットデータを移動無線装置１０へ送信するように制御する。ハンドオーバ制御部２２２Ａは、移動無線装置１０へ無線品質測定指示信号を送信し、移動無線装置１０から受信した無線品質報告信号に従ってハンドオーバの有無の決定とハンドオーバする際の接続先の無線基地局装置（又は子局）の決定とを行う。
【００４７】
記憶部２２３は、制御部２２２及びベースバンド部２２４により実行される処理プログラム及びデータや、制御部２２２及びベースバンド部２２４により処理されたデータが記憶される。また、記憶部２２３には、無線基地局装置２００により通信がカバーされるセルのセル識別子と、そのセルがスモールセルであるかマクロセルであるかを識別するセルフラグが記憶される。例えば、無線基地局装置２００内に複数の無線装置２１０が含まれ、複数の無線装置２１０によりそれぞれカバーされる複数のセルが存在する場合には、複数のセルの各々のセル識別子及びセルフラグが記憶部２２３に記憶される。セル識別子及びセルフラグは、無線基地局装置２００の運用開始前に予め記憶部２２３に記憶されてよい。また、セルフラグは、無線基地局装置２００の開始直後及び／又は運用中に制御端末装置１２０から送信されてよく、無線基地局装置２００が受信したセルフラグが記憶部２２３に記憶されてよい。
【００４８】
ベースバンド部２２４は、移動無線装置１０へ送信されるデータ信号を制御部２２２から受信し、受信されたデータ信号をベースバンド処理する。ベースバンド部２２４は、処理されたベースバンド信号を第３インタフェース部２２５を介して無線装置２１０へ送信する。また、ベースバンド部２２４は、第３インタフェース部２２５を介して無線装置２１０から受信した信号をベースバンド処理し、処理されたベースバンド信号を制御部２２２へ送信する。
【００４９】
図９は、第１の実施形態に従った無線装置の例示的なハードウェア構成図である。図９に示すように、第１の実施形態に従った無線装置２１０Ａは、プロセッサ２１０Ａ−１、ＡＳＩＣ２１０Ａ−２、ストレージ２１０Ａ−３、入力装置２１０Ａ−４、出力装置２１０Ａ−５、無線通信装置２１０Ａ−６、及びバス２１０Ａ−７を含む。プロセッサ２１０Ａ−１、ＡＳＩＣ２１０Ａ−２、ストレージ２１０Ａ−３、入力装置２１０Ａ−４、出力装置２１０Ａ−５、及び無線通信装置２１０Ａ−６は、バス２１０Ａ−７を介して相互に接続される。
【００５０】
プロセッサ２１０Ａは、ＣＰＵ等の演算処理を行う論理回路である。ＡＳＩＣ２１０Ａ−２は、例えば、ＦＰＧＡ及びＬＳＩ等の回路である。ストレージ２１０Ａ−３は、プロセッサ２１０Ａ及びＡＳＩＣ２１０Ａ−２により実行される処理プログラム、処理に用いられるデータ、及び処理結果のデータが格納する装置である。入力装置２１０Ａ−４及び出力装置２１０Ａ−５は、第１インタフェース部２１１に対応する。
【００５１】
無線通信装置２１０Ａ−６は、プロセッサ２１０Ａ−１及びＡＳＩＣ１０Ａ−２からの命令に従って、入力装置２１０Ａ−４を介して無線制御装置２２０から受信したデータを処理して無線信号を生成し、生成された無線信号を移動無線装置１０へ向けて送信する。また、無線通信装置２１０Ａ−６は、移動無線装置１０から受信した無線信号を処理し、処理されたデータ信号を出力装置２１０−５を介して無線制御装置２２０へ送信する。無線通信装置２１０Ａ−６は、変調部２１２、送信部２１３、アンテナ２１４、受信部２１５、及び復調部２１６に対応する。
【００５２】
図１０は、第１の実施形態に従った無線制御装置の例示的なハードウェア構成図である。図１０に示すように、第１の実施形態に従った無線制御装置２２０Ａは、プロセッサ２２０Ａ−１、ＡＳＩＣ２２０Ａ−２、ストレージ２２０Ａ−３、記憶媒体用ドライブ２２０Ａ−４を含む。また、無線制御装置２２０Ａは、コアネットワーク用入力装置２２０Ａ−５、コアネットワーク用出力装置２２０Ａ−６、無線装置用入力装置２２０Ａ−７、無線装置用出力装置２２０Ａ−８、及びバス２２０Ａ−９を含む。無線制御装置２２０Ａの構成要素２２０Ａ−１〜２２０Ａ−８は、バス２２０Ａ−９を介して相互に接続される。
【００５３】
プロセッサ２２０Ａ−１は、ＣＰＵ等の演算処理を行う論理回路である。ＡＳＩＣ１０Ａ−２は、例えば、ＦＰＧＡ及びＬＳＩ等の回路である。プロセッサ２２０Ａ−１及びＡＳＩＣ２２０Ａ−２は、制御部２２２及びベースバンド部２２４に対応する。
【００５４】
ストレージ２２０Ａ−３は、プロセッサ２２０Ａ−１及びＡＳＩＣ２２０Ａ−２により実行される処理プログラム、処理に用いられるデータ、及び処理結果のデータが格納する装置である。ストレージ２２０Ａ−３は、記憶部２２３に対応する。
【００５５】
記憶媒体用ドライブ２２０Ａ−４は、記録媒体に記録されたプログラム及びデータを読み込み、及び／又はプロセッサ２２０Ａ−１及びＡＳＩＣ２２０Ａ−２により処理されたデータを記録媒体へ書き込む装置である。記録媒体は、例えば、ＣＤ−ＲＯＭ、ＤＶＤ、ＵＳＢメモリ、及びフラッシュメモリ等である。
【００５６】
コアネットワーク用入力装置２２０Ａ−５及びコアネットワーク用出力装置２２０Ａ−６は、第２インタフェース部２２１に対応する。無線装置用入力装置２２０Ａ−７及び無線装置用出力装置２２０Ａ−８は、第３インタフェース部２２５に対応する。
【００５７】
移動管理装置７０は、無線基地局装置２００を収容し、ユーザデータパケットの経路であるベアラの確立や解放、位置登録、ページング、及びハンドオーバ等の移動制御、並びにホーム加入者サーバ９０と連携した移動無線装置１０の認証を行う。図１１は、第１の実施形態に従った移動管理装置の例示的な機能構成図である。図１１に示すように、移動管理装置７０は、インタフェース（ＩＦ）部７１、制御部７２、及び記憶部７３を含む。
【００５８】
インタフェース部７１は、無線基地局装置２００及びサービングゲートウェイ８０と移動管理装置７０が信号を送受信するための装置である。制御部７１は、移動管理装置７０全体の動作を制御し、移動管理装置７０が行う前述のような処理を行う。制御部７１は、無線基地局装置２００と接続中の移動無線装置１０に対するハンドオーバを制御するハンドオーバ（ＨＯ）制御部７２Ａを含む。記憶部７３は、制御部７２により実行される処理プログラム、処理データ、及び処理結果データ等が記憶される。
【００５９】
サービングゲートウェイ８０は、無線基地局装置２００とパケットデータネットワークゲートウェイ１００との間のユーザパケットデータの中継処理を行う。図１２は、第１の実施形態に従ったサービングゲートウェイの例示的な機能構成図である。図１２に示すように、サービングゲートウェイ８０は、インタフェース（ＩＦ）部８１、Ｕ−Ｐｌａｎｅルーティング部８２、制御部８３、及び記憶部８４を含む。
【００６０】
インタフェース部８１は、無線基地局装置２００、移動管理装置７０、及びパケットデータネットワークゲートウェイ１００とサービングゲートウェイ８０が信号を送受信するための装置である。制御部８３は、サービングゲートウェイ８０全体の処理を制御する。Ｕ−Ｐｌａｎｅルーティング部８２は、制御部８３による指示に従って、移動無線装置１０宛てのユーザパケットデータの中継経路を選択し、インタフェース部８１を介してユーザパケットデータを送信する。記憶部８４は、Ｕ−Ｐｌａｎｅルーティング部８２及び制御部８３により実行される処理プログラム、処理データ、及び処理結果データを記憶する。
【００６１】
ホーム加入者サーバ９０は、Internet Protocol(IP) Multimedia Subsystem（ＩＭＳ）サービスを提供する上でのサービス情報や認証情報等の加入者情報のデータベースを含む装置である。
【００６２】
パケットデータネットワークゲートウェイ１００は、インターネット１３０といったコアネットワーク外のパケット網とコアネットワークとの接続を行う。パケットデータネットワークゲートウェイ１００は、移動無線装置１０へのInternet Protocol（ＩＰ）アドレスの割り当て、ベアラ確立時におけるパケット網への接続に関するユーザ認証、ＰＣＲＦ１１０の指示に従ったQuality of Service（ＱｏＳ）制御、及び課金データの作成等を行う。図１３は、第１の実施形態に従ったパケットデータネットワークゲートウェイの例示的な機能構成図である。図１３に示すように、パケットデータネットワークゲートウェイ１００は、インタフェース（ＩＦ）部１０１、制御部１０２、及び記憶部１０３を含む。
【００６３】
インタフェース部１０１は、パケットデータネットワークゲートウェイ１００がサービングゲートウェイ８０と信号を送受信するための装置である。制御部１０２は、パケットデータネットワークゲートウェイ１００が行う前述のような処理を実行する。制御部１０２は、インタフェース部１０１を介してＰＣＲＦ１１０から受信した指示に従ってＱｏＳ制御を実行するＱｏＳ制御部１０２Ａを含む。図５に示されるようなＱＣＩは、ＱｏＳ制御部１０２Ａにより管理される。記憶部１０３は、制御部１０２により実行される処理プログラム、処理データ、及び処理結果データを記憶する。
【００６４】
ＰＣＲＦ１１０は、パケットデータネットワークゲートウェイ１００において適用されるＱｏＳ等のポリシー制御及び課金制御ルールを決定するポリシー制御装置である。
【００６５】
制御端末装置１２０は、スモールセルをカバーする無線基地局装置２００とマクロセルをカバーする無線基地局装置２００との内の何れの無線基地局装置２００と接続するかを、通信対象のサービスの種類に従って移動無線装置１０が選択できるように、各無線基地局装置２００のセルフラグの設定を制御する。制御端末装置１２０は、移動通信システム内の無線基地局装置２００がそれぞれカバーするセルに対するセルフラグを保持する。制御端末装置１２０は、対応するセルフラグを無線基地局装置２００へ送信し、無線基地局装置２００にセルフラグを記憶させる。制御端末装置１２０から各無線基地局装置２００へのセルフラグの送信は、無線基地局装置２００の運用開始直後に行われてよく、無線基地局装置２００の運用開始中に行われてよい。前述したように、移動無線装置１０は、無線基地局装置２００に記憶されたセルフラグを含む報知信号を無線基地局装置２００から受信する。移動無線装置１０は、受信されたセルフラグを基づいて、移動無線装置１０の存在する位置の周辺の各セルがスモールセルであるかマクロセルであるかを判定し、接続対象の通信のサービスの種類に従って接続対象のセルを選択する。
【００６６】
制御端末装置１２０は、コンピュータといった情報処理装置であり得る。図１４は、第１の実施形態に従った制御端末装置の例示的なハードウェア構成図である。図１４に示すように、制御端末装置１２０は、ＣＰＵ１２１、メモリ１２２、ストレージ１２３、記憶媒体用ドライブ１２４、入力装置１２５、出力装置１２６、通信インタフェース１２７、及びバス１２８を含む。ＣＰＵ１２１、メモリ１２２、ストレージ１２３、記憶媒体用ドライブ１２４、入力装置１２５、出力装置１２６、及び通信インタフェース１２７は、バス１２８を介して相互に接続される。
【００６７】
ＣＰＵ１２１は、演算処理を行う論理回路である。メモリ１２２は、ＣＰＵ１２１が直接アクセス可能な主記憶装置であり、ＣＰＵ１２１により実行中のプログラムや処理中のデータを一時的に記憶する。メモリ１２２は、例えば、Random Access Memory（ＲＡＭ）である。ストレージ１２３は、例えば、ハードディスクドライブ（Hard Disk Drive、ＨＤＤ）である。ストレージ１２３には、ＣＰＵ１２１により実行される各種プログラムやデータが格納される。記録媒体用ドライブ１２４は、記録媒体に記録されたデータを読み込み、及び／又はＣＰＵ１２１により処理されたデータを記録媒体へ書き込むための装置である。記録媒体は、例えば、ＣＤ−ＲＯＭ、ＤＶＤ、ＵＳＢメモリ、及びフラッシュメモリ等である。
【００６８】
入力装置１２５は、制御端末装置１２０の利用者が制御端末装置１２０への命令を入力するための装置であり、例えば、キーボード、マウス、及びタッチパネル等である。出力装置１２６は、プロセッサ１２１による処理結果を表示するための装置であり、例えば、液晶ディスプレイである。通信インタフェース１２７は、インターネット１３０といった外部パケット網と接続するための装置である。
【００６９】
移動無線装置１０が無線基地局装置２００を介して通信を新たに開始するケースと、移動無線装置１０が無線基地局装置２００を介して通信しているケースとに分けて、移動無線装置１０が実行する第１の実施形態に従ったセル選択処理の一例を説明する。
【００７０】
まず、移動無線装置１０が無線基地局装置２００と通信を新たに開始するケースについて、図１５及び図１６を参照しながら説明する。
【００７１】
図１５は、第１の実施形態に従った呼接続処理の例示的なシーケンス図である。図１５には、移動無線装置１０が無線基地局装置２００を介して通信を新たに開始するケースにおける移動通信システム１の呼処理シーケンスの一例が示されている。図１５に示すように、第１の実施形態に従った呼処理シーケンスは、例えば、３ＧＰＰに規定される呼処理シーケンスに準拠し得る。
【００７２】
移動無線装置１０の電源が投入されると（処理Ｐ１００１）、移動無線装置１０は、移動無線装置１０との接続対象となる無線基地局装置２００を探索するためにセルサーチを行う（処理Ｐ１００２）。セルサーチの際に、測定部１２Ａは、移動無線装置１０が存在する位置の周辺の無線基地局装置２００からそれぞれ送信される報知信号を、アンテナ１７、受信部１８、復調部１９、及びベースバンド部１４を介して受信する。測定部１２Ａは、受信された各報知信号に含まれるセル識別子及びセルフラグを取得する。また、測定部１２Ａは、受信された各報知信号の受信電界強度を測定する。受信電界強度は、報知信号の無線品質の一例である。測定部１２Ａは、各報知信号から得られたセル識別子、受信電界強度、及びセルフラグを対応付けて、受信電界強度の高い順に記憶部１３内のセルリスト１３Ａに記憶させる。
【００７３】
移動無線装置１０をネットワークに接続するためのアタッチ処理が移動無線装置１０と移動管理装置７０との間で実行された（処理Ｐ１００３）後も、移動無線装置１０は、セルサーチを所定の時間間隔で実行する（処理Ｐ１００４）。また、測定部１２Ａは、セルサーチの際に受信された各報知信号からセル識別子（セルＩＤ）及びセルフラグを取得し、各報知信号の受信電界強度を測定する。測定部１２Ａは、得られたセル識別子、受信電界強度、及びセルフラグをセルリスト１３Ａに記憶させる。こうして、セルリスト１３Ａのデータは、繰り返し実行されるセルサーチの度に更新される。
【００７４】
通信を新たに開始するための呼接続の開始が外部インタフェース部１１を介して移動無線装置１０の利用者から制御部１２に指示されると（処理Ｐ１００５）、制御部１２は、第１の実施形態に従ったセル選択処理を実行する。図１６は、第１の実施形態に従ったセル選択処理の例示的なフロー図である。
【００７５】
セル選択処理が開始されると（ステップＳ１００１）、制御部１２は、記憶部１３に記憶されたセルリスト１３Ａを参照して、スモールセルを示すセルフラグがセルリスト１３Ａ内に存在するか否かを判定する（ステップＳ１００２）。なお、セルリスト１３Ａ中に所定数を越えるセル識別子が含まれる場合、制御部１２は、受信電界強度が高い順に所定数のセル識別子に対応するセルフラグに、スモールセルを示すセルフラグがあるか否かを判定してもよい。
【００７６】
スモールセルを示すセルフラグが存在しないと判定される場合（ステップＳ１００２で“ＮＯ”）、制御部１２は、一連のセル選択処理を終了する（ステップＳ１００６）。この場合、制御部１２は、セルリスト１３Ａに含まれるマクロセルを呼接続対象のセルとして選択する。なお、セルリスト１３Ａ中に複数のマクロセルが含まれる場合には、制御部１２は、受信電界強度の最も高いセルを選択する。
【００７７】
スモールセルを示すセルフラグが存在すると判定される場合（ステップＳ１００２で“ＹＥＳ”）、制御部１２は、セルリスト１３Ａ中のマクロセルの受信電界強度が基準値以上であるか否かを判定する（ステップＳ１００３）。すなわち、制御部１２Ａは、マクロセルを示すセルフラグに対応する受信電界強度が基準値以上であるか否かを判定する。
【００７８】
マクロセルの受信電界強度が基準値未満であると判定される場合（ステップＳ１００３で“ＮＯ”）、制御部１２は、一連のセル選択処理を終了する（ステップＳ１００６）。この場合、受信電界強度が基準値未満であるマクロセルが呼接続対象のセルとして限定されることは好ましくない。そこで、セルリスト１３Ａ中の全てのセルが呼接続対象のセルの候補になり、制御部１２は、セルリスト１３Ａに含まれる全てのセルの中で、受信電界強度が最も高いセルを呼接続対象のセルとして選択する。選択され得るセルは、スモールセル又はマクロセルであり得る。
【００７９】
マクロセルの受信電界強度が基準値以上であると判定される場合（ステップＳ１００３で“ＹＥＳ”）、制御部１２は、呼接続の対象となる通信のサービスが高スループットが要求されるサービスではないか否かを判定する（ステップＳ１００４）。呼接続の対象となる通信のサービスが高スループットが要求されるサービスではないか否かの情報は、サービス確認部１２Ｂから取得される。例えば、図５に示したＱＣＩの定義に従う場合には、制御部１２は、呼接続の対象となる通信のサービスのＱＣＩが２〜４以外の値であるか否かを判定する。呼接続の対象となる通信のサービスのＱＣＩは、サービス確認部１２Ｂから取得される。
【００８０】
呼接続の対象となる通信のサービスが高スループットが要求されるサービスであると判定される場合（ステップＳ１００４で“ＮＯ”）、制御部１２は、一連のセル選択処理を終了する（ステップＳ１００６）。この場合、セルリスト１３Ａ中の全てのセルが呼接続対象のセルの候補になり、制御部１２は、セルリスト１３Ａに含まれる全てのセルの中で、受信電界強度が最も高いセルを呼接続対象のセルとして選択する。選択され得るセルは、スモールセル又はマクロセルである。
【００８１】
呼接続の対象となる通信のサービスが高スループットが要求されるサービスではないと判定されると判定される場合（ステップＳ１００４で“ＹＥＳ”）、制御部１２は、セルリスト１３Ａ中のスモールセルを呼接続対象のセルから除外する（ステップＳ１００５）。そして、制御部は、一連のセル選択処理を終了する（ステップＳ１００６）。この場合、制御部１２は、セルリスト１３Ａに含まれるマクロセルを呼接続対象のセルとして選択する。
【００８２】
上述のようなセル選択処理が終了すると、制御部１２は、呼接続対象のセルに対応する無線基地局装置２００へ呼接続を要求し（処理Ｐ１００７）、要求に対する応答をその無線基地局装置から受信する（処理Ｐ１００８）。そして、移動無線装置１０は、呼接続された無線基地局装置２００を介して通信を開始する（処理Ｐ１００９〜Ｐ１０１４）。
【００８３】
このように、第１の実施形態に従ったセル選択制御が実行されることによって、高スループットが必ずしも要求されないサービスの通信に対しては、スモールセルへの呼接続が抑制される。この結果、カバーされる通信区域（カバー範囲）が狭いスモールセルに呼接続されることに起因する余剰なハンドオーバを抑制することができ、呼損のリスクを減らすことができる。
【００８４】
また、第１の実施形態に従ったセル選択制御が実行されることによって、高スループットが必ずしも要求されない通信に対するスモールセルへの呼接続が抑制される。この結果、カバーされる通信区域（カバー範囲）が狭く高スループットを実現し得るスモールセルをマクロセルと併用するヘテロジニアスネットワークの目的に沿った運用を実現できる。このように、第１の実施形態に従ったセル選択制御が実行されることによって、ネットワークの負荷を最適化し得るので、余剰な設備投資をなくすことができ、また、無線品質を向上させることができる。
【００８５】
次に、移動無線装置１０が無線基地局装置２００を介して通信しているケースについて、図１６及び図１７を参照しながら説明する。
【００８６】
図１７は、第１の実施形態に従ったハンドオーバ処理の例示的なシーケンス図である。図１７には、移動無線装置１０が無線基地局装置２００を介して通信しているケースにおける移動通信システム１のハンドオーバ処理シーケンスの一例が示されている。図１７に示すように、第１の実施形態に従ったハンドオーバ処理シーケンスは、例えば、３ＧＰＰに規定されるハンドオーバ処理シーケンスに準拠し得る。なお、図１７に示した処理シーケンスは一例であり、実施形態に従ったハンドオーバは、無線基地局装置とＥＰＣとの間の論理インタフェースであるＳ１により信号処理を行うＳ１ハンドオーバであってよく、無線基地局装置間の論理インタフェースであるＸ２により信号処理を行うＸ２ハンドオーバであってよい。
【００８７】
移動無線装置１０と無線基地局装置２００との間でデータが送受信され（処理Ｐ２００１）、無線基地局装置２００とサービングゲートウェイ８０及びパケットデータネットワークゲートウェイ１００との間でデータが送受信される（処理Ｐ２００２）。こうして、移動無線装置１０は、無線基地局装置２００を介して通信を実行している。
【００８８】
測定部１２Ａは、Measurement Controlといった無線品質測定指示信号を接続中の無線基地局装置２００から受信する（処理Ｐ２００３）。接続中の無線基地局装置２００は、ハンドオーバ実行前の制御セル、すなわちソースセルに対応する無線基地局装置２００である。測定部１２Ａが無線品質測定指示信号に対応する無線品質測定報告信号を接続中の無線基地局装置２００へ送信する前に、制御部１２は、図１６を参照しながら前述したセル選択処理を実行する（Ｐ２００４）。
【００８９】
例えば、マクロセルの受信電界強度が所定の基準値未満である場合（ステップＳ１００３で“ＮＯ”）には、セルリスト１３Ａ中の全てのセルが呼接続対象のセルの候補になる。また、通信中のサービスが高スループットが要求されるサービスである場合（ステップＳ１００４で“ＮＯ”）には、セルリスト１３Ａ中の全てのセルが呼接続対象のセルの候補になる。そこで、制御部１２は、セルリスト１３Ａに含まれる全てのセルの中で、受信電界強度が最も高いセルを呼接続対象のセルとして選択する。測定部１２Ａは、受信電界強度が最も高いセルを含むセルリスト１３Ａ中の全てのセルを対象に、対象セルの無線基地局装置２００から受信した報知信号の受信電界強度を測定する。或いは、セルリスト１３Ａ中に所定数を越えるセル識別子が含まれる場合には、測定部１２Ａは、セルリスト１３Ａ中の受信電界強度の高い順から所定数のセルを対象に、対象セルの無線基地局装置２００から受信した報知信号の受信電界強度を測定し得る。受信電界強度は、無線品質の一例である。測定部１２Ａは、測定された受信電界強度とそのセル識別子を含む無線品質報告信号を接続中の無線基地局装置２００へ送信する（処理Ｐ２００５）。送信される無線品質報告信号は、例えば、無線基地局装置２００から受信したMeasurement Controlに対応して送信されるMeasurement Reportである。
【００９０】
また、例えば、マクロセルの受信電界強度が所定の基準値以上であり、通信中のサービスが高スループットを要求しないサービスである場合（ステップＳ１００４で“ＹＥＳ”）には、制御部１２は、セルリスト１３Ａに含まれる全てのセルの中からマクロセルをハンドオーバ先のセルとして選択する。すなわち、制御部１２は、セルリスト１３Ａに含まれる全てのセルの中からスモールセルをハンドオーバ先のセルの候補から除外する。測定部１２Ａは、セルリスト１３Ａ中のマクロセルを対象に、対象のマクロセルの無線基地局装置２００から受信した報知信号の受信電界強度を測定する。すなわち、測定部１２Ａは、セルリスト中のスモールセルを対象とした受信電界強度の測定は行わない。測定部１２Ａは、測定された受信電界強度とそのセル識別子を含む無線品質報告信号を接続中の無線基地局装置２００へ送信する（処理Ｐ２００５）。すなわち、測定部１２Ａは、スモールセルの無線品質を接続中の無線基地局装置２００へ報告しない。
【００９１】
なお、セルリスト中のスモールセルの無線品質を測定部１２Ａが接続中の無線基地局装置２００へ報告しないように上記のように構成する理由は、接続中の無線基地局装置２００がスモールセルに対応する無線基地局装置２００をハンドオーバ先の無線基地局装置２００として決定しないようにするためである。そこで、例えば、測定部１２Ａがスモールセルの無線品質を接続中の無線基地局装置２００へ報告しない代わりに、スモールセルの受信品質として最悪値（受信電界強度の最低値）をマクロセルの無線品質と共に測定部１２Ａが接続中の無線基地局装置２００へ報告するように構成してもよい。
【００９２】
接続中の無線基地局装置２００は、測定部１２Ａから送信された無線品質報告信号を受信する。接続中の無線基地局装置２００は、受信された無線品質報告信号に従ってハンドオーバの実行の有無を決定する。また、接続中の無線基地局装置２００は、受信された無線品質報告信号に従ってハンドオーバを実行する際のハンドオーバ先の無線基地局装置２００を決定する（処理Ｐ２００６）。
【００９３】
例えば、マクロセルの受信電界強度が所定の基準値未満である場合（ステップＳ１００３で“ＮＯ”）、受信される無線品質報告信号には、スモールセルの受信電界強度及びマクロセルの受信電界強度が含まれる。また、通信中のサービスが高スループットが要求されるサービスである場合（ステップＳ１００４で“ＮＯ”）、受信される無線品質報告信号には、スモールセルの受信電界強度及びマクロセルの受信電界強度が含まれる。そこで、接続中の無線基地局装置２００は、接続中の無線基地局装置２００に対応するセルの受信電界強度が所定の基準値未満であるか否かの判定に従って、ハンドオーバの実行の有無をまず決定する。次に、接続中の無線基地局装置２００に対応するセルの受信電界強度が所定の基準値未満であると判定されて、ハンドオーバの実行が決定された場合、接続中の無線基地局装置２００は、受信電界強度の最も高いセルに対応する無線基地局装置２００をハンドオーバ実行後の接続先の無線基地局装置２００として決定する。ハンドオーバ実行後の接続先の無線基地局装置２００は、ハンドオーバ実行後の制御セル、すなわちターゲットセルに対応する無線基地局装置２００である。受信電界強度の最も高いセルは、マクロセル又はスモールセルであり得る。
【００９４】
また、例えば、マクロセルの受信電界強度が所定の基準値以上であり、通信中のサービスが高スループットを要求しないサービスである場合（ステップＳ１００４で“ＹＥＳ”）、受信される無線品質報告信号には、マクロセルの受信電界強度のみが含まれる。或いは、構成によっては、受信される無線品質報告信号には、最悪値が設定されたスモールセルの受信電界強度がマクロセルの受信電界強度と共に含まれる。そこで、接続中の無線基地局装置２００は、接続中の無線基地局装置２００に対応するセルの受信電界強度が所定の基準値未満であるか否かの判定に従って、ハンドオーバの実行の有無をまず決定する。構成によっては、接続中の無線基地局装置２００に対応するセルがスモールセルである場合には、接続中の無線基地局装置２００に対応するセルの受信電界強度は、受信された無線品質報告信号中に含まれない。この構成では、接続中の無線基地局装置２００は、接続中の無線基地局装置２００に対応するセルの受信電界強度が所定の基準値未満であると判定し、ハンドオーバの実行を決定する。次に、接続中の無線基地局装置２００に対応するセルの受信電界強度が所定の基準値未満であると判定されて、ハンドオーバの実行が決定された場合、接続中の無線基地局装置２００は、マクロセルに対応する無線基地局装置２００をハンドオーバ実行後の接続先の無線基地局装置２００として決定する。
【００９５】
接続中の無線基地局装置２００は、ハンドオーバ先の無線基地局装置２００として決定された接続先の無線基地局装置２００へハンドオーバ要求を送信する（処理Ｐ２００７）。以後、図１７に示すように、接続中の無線基地局装置２００から接続先の無線基地局装置２００へのハンドオーバ実行処理が実行される（処理Ｐ２００８〜Ｐ２０２３）。
【００９６】
このように、第１の実施形態に従ったセル選択制御が実行されることによって、高スループットが必ずしも要求されないサービスの通信に対しては、スモールセルへのハンドオーバが抑制される。この結果、カバーされる通信区域（カバー範囲）が狭いスモールセルへの余剰なハンドオーバを抑制することができ、呼損のリスクを減らすことができる。
【００９７】
また、第１の実施形態に従ったセル選択制御が実行されることによって、高スループットが必ずしも要求されない通信に対してスモールセルへのハンドオーバが抑制される。この結果、カバーされる通信区域（カバー範囲）が狭く高スループットを実現し得るスモールセルをマクロセルと併用するヘテロジニアスネットワークの目的に沿った運用を実現できる。このように、第１の実施形態に従ったセル選択制御が実行されることによって、ネットワークの負荷を最適化し得るので、余剰な設備投資をなくすことができ、また、無線品質を向上させることができる。
【００９８】
さらに、第１の実施形態に従ったセル選択制御によって、移動無線装置が無線品質報告信号を送信する前にハンドオーバする必要がないセルが接続候補のセルから予め除外される。このため、移動無線装置に複雑な処理を負荷せずに不要なデータ処理が削減でき、移動無線装置の消費電力を削減できる。
【００９９】
第１の実施形態に従ったセル選択制御が実行されることによって余剰なハンドオーバが削減し得る効果の一例を図１８及び図１９を参照しながら説明する。図１８は、第１の実施形態に従ったセル選択制御が実行されない場合の例示的なハンドオーバ動作の説明図である。図１９は、第１の実施形態に従ったセル選択制御が実行された場合の例示的なハンドオーバ動作の説明図である。
【０１００】
図１８及び図１９には、マクロセルＭＣ内に存在する移動無線装置Ａ〜ＤがマクロセルＭＣ内のスモールセルＳＣ−Ａ及びスモールセルＳＣ−Ｂを通って矢印で示される方向に移動したケースが示されている。なお、図１８及び図１９に示した一例では、マクロセルＭＣ、スモールセルＳＣ−Ａ、及びスモールセルＳＣ−Ｂに対応する報知信号の受信電界強度は、所定の基準値以上であるものと仮定する。図１８及び図１９中の細い矢印は、当該移動無線装置が接続の待ち受け中であることを表す。太い矢印は、通話といった高スループットが要求されないサービスの通信に対して当該移動無線装置が接続中であることを表す。点線の矢印は、動画サービスといった高スループットが要求されるサービスの通信に対して当該移動無線装置が接続中であることを表す。図１８及び図１９中の星印（Ａ）〜（Ｒ）は、当該位置付近で当該移動無線装置によるハンドオーバが発生したことを模式的に表す。
【０１０１】
まず、第１の実施形態に従ったセル選択制御が実行されない場合には、接続対象の通信サービスの特性に関係なく、移動無線装置が存在する位置の周辺セルの中で最も無線品質がよいセルが接続対象のセルとして選択され得る。この結果、図１８中の星印（Ａ）〜（Ｍ）に示されるように、移動無線装置Ａ〜Ｃが呼の待ち受け中である時点を除いて、マクロセルＭＣからスモールセルＳＣ−Ａへ移動した時点、スモールセルＳＣからマクロセルＭＣへ移動した時点、マクロセルＭＣからスモールセルＳＣ−Ｂへ移動した時点、及びスモールセルＳＣ−ＢからマクロセルＭＣへ移動した時点においてハンドオーバが発生する。具体的には、図１８に示すように、移動無線装置Ａ及びＢについてはそれぞれ４回、移動無線装置Ｃについては２回、並びに移動無線装置Ｄについては３回発生する。
【０１０２】
これに対して、第１の実施形態に従ったセル選択制御が実行される場合、図１９に示すように、全区間において通話中である移動無線装置Ａは、図１６に示すような第１の実施形態に従ったセル選択処理によって接続対象のセルからスモールセルを除外する。この結果、移動無線装置Ａは、通話中の全区間においてマクロセルと接続し、ハンドオーバが実行されない。したがって、図１８中の（Ａ）〜（Ｄ）に示すように第１の実施形態に従ったセル選択制御が実行されない場合には４回のハンドオーバが実行されるのに対して、移動無線装置Ａについては図１９に示すようにハンドオーバの回数を０回に削減できる。
【０１０３】
図１９に示すように、移動無線装置Ｂは、通話中の区間において、第１の実施形態に従ったセル選択処理によって接続対象のセルからスモールセルを除外する。この結果、マクロセルＭＣからスモールセルＳＣ−Ａへ移動した時点において、移動無線装置Ｂは、通話中であるため、ハンドオーバが実行されない。その後、スモールセルＳＣ−Ａ内で通話から動画サービスへ通信中のサービスが変更されると、移動無線装置Ｂは、第１の実施形態に従ったセル選択処理によってスモールセル及びマクロセルの中から接続対象のセルを選択する。この結果、スモールセルＳＣ−Ａ内に存在する移動無線装置Ｂは、動画サービスの通信を開始するときにマクロセルＭＣではなくスモールセルＳＣ−Ａを接続対象のセルとして選択する。その後、マクロセルＭＣ、スモールセルＳＣ−Ｂ、及びマクロセルＭＣの順に移動無線装置Ｂが移動する度に、第１の実施形態に従ったセル選択処理に従ってハンドオーバが実行される。このように、図１８中の（Ｅ）〜（Ｈ）に示すように第１の実施形態に従ったセル選択制御が実行されない場合に４回のハンドオーバが実行されるのに対して、図１９中の（Ｎ）〜（Ｐ）に示すように移動無線装置Ｂについてはハンドオーバの回数を３回に削減できる。
【０１０４】
図１９に示すように、移動無線装置Ｃは、動画サービスの通信を開始するときにスモールセル内に存在しない。そこで、移動無線装置Ｃは、第１の実施形態に従ったセル選択処理に従ってマクロセルＭＣを接続対象のセルとして選択し、動画サービスの通信を開始する。マクロセルＭＣからスモールセルＳＣ−Ａへ移動無線装置Ｃが移動すると、移動無線装置Ｃは、第１の実施形態に従ったセル選択処理によってスモールセル及びマクロセルの中から接続対象のセルを選択する。この結果、マクロセルＭＣからスモールセルＳＣ−Ａへ移動無線装置Ｃが移動するときに、ハンドオーバが実行される。その後、スモールセルＳＣ−Ａ内で動画サービスから通話へ通信中のサービスが変更されると、移動無線装置Ｃは、第１の実施形態に従ったセル選択処理によって接続対象のセルからスモールセルを除外する。この結果、スモールセルＳＣ−Ａ内に存在する移動無線装置Ｂは、通話を開始するときにスモールセルＳＣ−ＡではなくマクロセルＭＣを接続対象のセルとして選択する。また、スモールセルＳＣ−ＡからマクロセルＭＣへ移動無線装置Ｃが移動してもハンドオーバが発生しない。このように、図１８中の（Ｉ）〜（Ｊ）に示すように第１の実施形態に従ったセル選択制御が実行されない場合に２回のハンドオーバが実行されるのに対して、図１９中の（Ｑ）に示すように移動無線装置Ｃについてはハンドオーバの回数を１回に削減できる。
【０１０５】
図１９に示すように、移動無線装置Ｄは、マクロセルＭＣからスモールセルＳＣ−Ａへ移動した後に、通話を開始する。そこで、移動無線装置Ｄは、第１の実施形態に従ったセル選択処理に従ってスモールセルＳＣ−ＡではなくマクロセルＭＣを接続対象のセルとして選択し、通話を開始する。その後、マクロセルＭＣ及びスモールセルＳＣ−Ｂの順に移動無線装置Ｄが移動しても、第１の実施形態に従ったセル選択処理に従ってハンドオーバは、実行されない。スモールセルＳＣ−Ｂ内で通話から動画サービスへ通信中のサービスが変更されると、移動無線装置Ｄは、第１の実施形態に従ったセル選択処理によってスモールセル及びマクロセルの中から接続対象のセルを選択する。この結果、スモールセルＳＣ−Ｂ内に存在する移動無線装置Ｂは、動画サービスを開始するときにスモールセルＳＣ−Ｂを接続対象のセルとして選択する。その後、スモールセルＳＣ−ＢからマクロセルＭＣへ移動無線装置Ｄが移動するときに、第１の実施形態に従ったセル選択処理によってハンドオーバが実行される。このように、図１８中の（Ｋ）〜（Ｍ）に示すように第１の実施形態に従ったセル選択制御が実行されない場合に３回のハンドオーバが実行されるのに対して、図１９中の（Ｒ）に示すように移動無線装置Ｄについてはハンドオーバの回数を１回に削減できる。
【０１０６】
図１８及び図１９に示したような一例からも、第１の実施形態に従ったセル選択制御によれば、トラフィックの緩和やセルスループットの向上といったヘテロジニアスネットワークが有するメリットを損なうことなく、セル数が増えることに起因して多発し得る余剰なハンドオーバを削減できることが理解できる。
【０１０７】
なお、図１〜図１９を参照しながら説明した第１の実施形態に従ったセル選択制御は、一具体例であって、様々な変形、改良、及び変更が可能であることに留意すべきである。
【０１０８】
例えば、上述の説明では、スモールセルかマクロセルかを示すセルフラグを用いてセル選択制御が実施される具体例を説明した。しかしながら、例えば、図１に示したようなマイクロセル、ピコセル、フェムトセル、及びマクロセルが識別可能なセル識別ビットをセルフラグの代わりに用いてもよい。そして、セル識別ビットを用いて、マイクロセル、ピコセル、フェムトセル、及びマクロセルの内の任意のセルが移動無線装置の通信対象とするサービスに従って接続対象のセルとして選択されるように構成してもよい。
【０１０９】
また、上述の説明では、セルフフラグの設定は、運用開始前に無線基地局装置に保持される、或いは運用開始後に制御端末装置から無線基地局装置へ送信される具体例を説明した。しかしながら、セルフラグは、移動通信システム内のその他の装置から無線基地局装置へ送信されるように構成してもよい。セルフラグを送信するその他の装置としては、例えば、ＰＣＲＦ、移動管理装置、及びサービングゲートウェイ等が挙げられる。
【０１１０】
＜第２の実施形態＞
前述したように、移動無線装置１０は、無線基地局装置２００から送信された報知信号に含まれるセルフラグを取得し、取得されたセルフラグを参照することによって、第１の実施形態に従ったセル選択処理を実行する。セルフラグは、第１の実施形態に従ったセル選択制御では、無線基地局装置２００の運用開始前に無線基地局装置２００に記憶される。或いは、無線基地局装置２００の運用開始後に、当該無線基地局装置２００に対するセルフラグが制御端末装置１２０から無線基地局装置２００へ送信され、送信されたセルフラグが無線基地局装置２００に記憶される。
【０１１１】
一方、第２の実施形態のセル選択制御では、無線基地局装置２００の運用開始後に、当該無線基地局装置２００に対するセルフラグが制御端末装置１２０から無線基地局装置２００へ所定の時間周期で送信され、送信されたセルフラグが無線基地局装置２００に記憶される。なお、以下に説明する点を除いては、第２の実施形態に従った移動通信システムの構成および処理動作は、図１〜図１９を参照しながら前述した第１の実施形態に従った移動通信システム１と同様であってよい。
【０１１２】
例えば、通勤時間帯には、電車の路線や幹線道路といった経路をカバーする複数のスモールセルを多数の移動無線装置１０が移動し得る。こうした時間帯では、多数の移動無線装置１０が１つのスモールセル内に存在し得るため、高スループットが得るというスモールセルの本来の設置目的を達成できない状況が生じ得る。また、こうした時間帯では、経路をカバーする複数のスモールセルを多数の移動無線装置１０が移動するため、ハンドオーバが多発し得る。このように、ある地域のある時間帯によっては、スモールセルに接続されるメリットが得られないにも係らず、ハンドオーバが多発し呼損のリスクが増加するデメリットが大きい事態が生じ得る。そこで、所定の時間帯においてスモールセルへの接続が制限されるようにするために、第２の実施形態に従ったセル選択制御では、制御端末装置１２０は、スモールセルを示すセルフラグをマクロセルを示すセルフラグへ予め設定された時間に変更し、変更されたセルフラグを該当するセルに対応する無線基地局装置２００へ送信するように構成する。
【０１１３】
具体的には、制御端末装置１２０は、所定の時間毎にセルフラグが設定されたセルフラグ設定テーブルをストレージ１２３内に予め保持する。図２０は、第２の実施形態に従ったセルフラグ設定テーブルの例図である。図２０に示すように、セルフラグ設定テーブルには、年月、曜日、及び時刻毎のセルフラグのオン又はオフの状態がセル識別子（セルＩＤ）により識別される各セルに対して記録される。セルフラグのオン状態は、セルフラグがスモールセルを示す値に設定される状態を示し、スモールセルを示すセルフラグは、例えば、“１”である。セルフラグのオフ状態は、セルフラグがマクロセルを示す値に設定される状態を示し、マクロセルを示すセルフラグは、例えば、“０”である。セルフラグ設定テーブルに従ってセルフラグが変更されることによって、仮に、当該セルが通信区域が狭いスモールセルであったとしても、セルフラグが“０”に設定された時間帯では、当該セルは、マクロセルとして識別される。
【０１１４】
制御端末装置１２０は、保持されたセルフラグ設定テーブルに記録されたセルフラグを所定の時間毎に該当する無線基地局装置２００へ送信する。図２１は、第２の実施形態に従った制御端末装置の例示的なセルフラグ設定処理フロー図である。
【０１１５】
セルフラグ設定処理が開始される（ステップＳ２００１）、予め設定されたタイマー時間に到達すると（ステップＳ２００２）、ＣＰＵ１２１は、ストレージ１２３内に記録されたセルフラグ設定テーブルをメモリ１２２に読み出す。ＣＰＵ１２１は、読み出されたセルフラグ設定テーブルを参照し（ステップＳ２００３）、セルフラグ設定テーブル内のセル識別子に対応する各セルのセルフラグがオン及びオフの何れの状態であるかを判定する（ステップＳ２００４）。
【０１１６】
当該セルに対するセルフラグがオン状態であると判定される場合（ステップＳ２００４で“ＹＥＳ”）、ＣＰＵ２０１は、スモールセルを示すセルフラグ（例えば、“１”）を当該セルに対応する無線基地局装置２００へ通信インタフェース１２７を介して通知する（ステップＳ２００５）。一方、当該セルに対するセルフラグがオフ状態であると判定される場合（ステップＳ２００４で“ＮＯ”）、ＣＰＵ２０１は、マクロセルを示すセルフラグ（例えば、“０”）を当該セルに対応する無線基地局装置２００へ通信インタフェース１２７を介して通知する（ステップＳ２００６）。
【０１１７】
ＣＰＵ２０１は、セルフラグ設定処理がオフに設定されているか否かを判定し（ステップＳ２００７）、セルフラグ設定処理がオンに設定されていると判定される場合（ステップＳ２００７で“ＮＯ”）には、ステップＳ２００２の処理へ戻って一連のセルフラグ設定処理を継続する。セルフラグ設定処理がオフに設定されていると判定される場合（ステップＳ２００７で“ＹＥＳ”）には、ＣＰＵ２０１は、一連のセルフラグ設定処理を終了する（ステップＳ２００８）。
【０１１８】
無線基地局装置２００は、制御端末装置１２０から所定の時間毎に通知されたセルフラグを受信する。無線基地局装置２００内に記憶されるセルフフラグを、受信されたセルフラグに更新し、更新されたセルフラグを含む報知信号を移動無線装置１０へ送信する。
【０１１９】
移動無線装置１０は、更新されたセルフラグを含む報知信号を無線基地局装置２００から受信する。移動無線装置１０は、受信された報知信号に従って図１６を参照しながら前述したようなセル選択処理を実行する。例えば、新たに開始されるサービス又は通信中のサービスが高スループットが要求されないサービスである場合、移動無線装置１０は、スモールセルを示すセルフラグへ変更されたセルを接続対象のセルから除外する。
【０１２０】
第２の実施形態に従った上記のセル選択制御によれば、移動無線装置１０が対象とする通信のサービスに従ってセル選択制御が可能になるだけでなく、地域や時間帯に従ってセル選択制御が可能になる。この結果、カバーされる通信区域（カバー範囲）が狭いスモールセルへの余剰なハンドオーバを抑制することができ、呼損のリスクを減らすことができる。
【０１２１】
また、第２の実施形態に従ったセル選択制御が実行されることによって、高スループットが必ずしも要求されない通信に対してスモールセルへのハンドオーバが抑制されだけでなく、高スループットが必ずしも期待できない地域や時間でのスモールセルへのハンドオーバが抑制される。この結果、カバーされる通信区域（カバー範囲）が狭く高スループットを実現し得るスモールセルをマクロセルと併用するヘテロジニアスネットワークの目的に沿った運用を実現できる。このように、第２の実施形態に従ったセル選択制御が実行されることによって、ネットワークの負荷を最適化し得るので、余剰な設備投資をなくすことができ、また、無線品質を向上させることができる。
【０１２２】
さらに、第２の実施形態に従ったセル選択制御によって、移動無線装置が無線品質報告信号を送信する前にハンドオーバする必要がないセルが接続候補のセルから予め除外される。このため、移動無線装置に複雑な処理を負荷せずに不要なデータ処理が削減でき、移動無線装置の消費電力を削減できる。
【０１２３】
そして、第２の実施形態に従ったセル選択制御によれば、移動通信システムの運用管理者による作業を要さずに、サービスの種別、地域、及び時間帯に従ったセル選択制御をコンピュータといった制御端末装置を用いて自動化することができる。
【０１２４】
＜第３の実施形態＞
第１の実施形態に従ったセル選択制御では、移動無線装置１０が通信対象とするサービスに従って呼接続対象のセルが選択される。また、第２の実施形態に従ったセル選択制御では、移動無線装置１０が通信対象とするサービスに加えて地域や時間帯に従って呼接続対象のセルが選択される。
【０１２５】
これに対して、第３の実施形態に従ったセル選択制御では、移動無線装置１０が通信対象とするサービスに係らずに、地域や時間帯に従って呼接続対象のセルが選択される。以下に説明する点を除いては、第３の実施形態に従った移動通信システムの構成および処理動作は、図１〜図２１を参照しながら前述した第１及び第２の実施形態に従った移動通信システム１と同様であってよい。
【０１２６】
第３の実施形態に従った移動無線装置１０は、図１６に示したセル選択処理においてステップＳ１００４での判定処理をスキップする。すなわち、マクロセルの受信電界強度が基準値以上であると判定される場合（ステップＳ１００３で“ＹＥＳ”）、制御部１２は、セルリスト１３Ａ中のスモールセルを呼接続対象のセルから除外する（ステップＳ１００５）。そして、制御部は、一連のセル選択処理を終了する（ステップＳ１００６）。このように、ステップＳ１００４での判定処理がスキップされることによって、第３の実施形態に従った移動無線装置１０は、移動無線装置１０が通信対象とするサービスに係らずに、地域や時間帯に従って呼接続対象のセルを選択する。
【０１２７】
なお、第３の実施形態に従ったセル選択制御が実行される場合には、接続対象の通信のサービスのサービス品質クラスが確認される必要がないので、移動無線装置１０は、サービス確認部１２Ｂを含まなくてもよい。
【０１２８】
第３の実施形態に従った上記のセル選択制御によれば、地域や時間帯に従ってセル選択制御が可能になる。この結果、カバーされる通信区域（カバー範囲）が狭いスモールセルへの余剰なハンドオーバを抑制することができ、呼損のリスクを減らすことができる。
【０１２９】
また、第３の実施形態に従ったセル選択制御が実行されることによって、高スループットが必ずしも期待できない地域や時間でのスモールセルへのハンドオーバが抑制される。この結果、カバーされる通信区域（カバー範囲）が狭く高スループットを実現し得るスモールセルをマクロセルと併用するヘテロジニアスネットワークの目的に沿った運用を実現できる。このように、第３の実施形態に従ったセル選択処理が実行されることによって、ネットワークの負荷を最適化し得るので、余剰な設備投資をなくすことができ、また、無線品質を向上させることができる。
【０１３０】
さらに、第３の実施形態に従ったセル選択制御によって、移動無線装置が無線品質報告信号を送信する前にハンドオーバする必要がないセルが接続候補のセルから予め除外される。このため、移動無線装置に複雑な処理を負荷せずに不要なデータ処理が削減でき、移動無線装置の消費電力を削減できる。
【０１３１】
そして、第３の実施形態に従ったセル選択制御によれば、移動通信システムの運用管理者による作業を要さずに、地域や時間帯に従ったセル選択制御をコンピュータといった制御端末装置を用いて自動化することができる。
【０１３２】
＜第４の実施形態＞
第１〜第３の実施形態に従ったセル選択制御では、移動無線装置１０内の制御部１２、測定部１２Ａ、サービス確認部１２Ｂは、プロセッサ１０Ａ−１及びＡＳＩＣ１０Ａ−２といったハードウェア構成要素に実装される。
【０１３３】
第４の実施形態に従ったセル選択制御では、移動無線装置１０内の制御部１２、測定部１２Ａ、サービス確認部１２Ｂが行う処理は、セル選択制御プログラムといったソフトウェアの命令により規律される。そして、プロセッサ１０Ａ−１及びＡＳＩＣ１０Ａ−２は、セル選択制御プログラムの命令を実行する。
【０１３４】
セル選択制御プログラムは、ＣＤ−ＲＯＭ、ＤＶＤ、ＵＳＢメモリ、及びフラッシュメモリといった記憶媒体に記憶されてよい。記憶媒体に記憶されたセル選択制御プログラムは、記憶媒体用ドライブ１０Ａ−４を介してストレージ１０Ａ−３に格納され、プロセッサ１０Ａ−１及びＡＳＩＣ１０Ａ−２は、格納されたセル選択制御プログラムを読み出して実行し得る。
【０１３５】
また、セル選択制御プログラムは、無線通信装置１０Ａ−７を介してストレージ１０Ａ−３に格納されてもよい。プロセッサ１０Ａ−１及びＡＳＩＣ１０Ａ−２は、格納されたセル選択制御プログラムを読み出して実行し得る。
【０１３６】
第４の実施形態に従ったセル選択制御によっても、第１〜第３の実施形態に従ったセル選択制御と同様の効果を得ることができる。
【０１３７】
以上の第１〜第４の実施形態を含む発明を実施するための形態に関し、更に以下の付記を開示する。
（付記１）
移動無線装置が存在する位置の周辺セルに対応する１つ以上の無線基地局装置から送信された報知信号を受信し、受信された前記報知信号に含まれる前記周辺セルを識別するセル識別子と前記周辺セルがスモールセルかマクロセルかを識別するセルフラグとを取得し、取得された前記セル識別子及び前記セルフラグをセルリストに記憶させる測定部と、
呼接続対象の通信のサービスに対するサービス品質クラスを確認するサービス確認部と、
前記セルリスト中にスモールセルを示すセルフラグが含まれる場合に前記サービス確認部により確認された前記サービス品質クラスを用いて前記呼接続対象の通信のサービスが高スループットが要求されるサービスか否かを判断し、前記呼接続対象の通信のサービスが高スループットが要求されないサービスであると判断される場合に前記セルリストの中からマクロセルを選択し、選択された前記マクロセルに対応する無線基地局装置へ呼接続要求信号を送信する制御部と
を含む移動無線装置。
（付記２）
前記移動無線装置と呼接続中の無線基地局装置から無線品質測定指示信号を前記測定部が受信した場合に、前記制御部は、前記呼接続対象の通信のサービスが高スループットが要求されないサービスであると判断される場合には前記セルリストの中からマクロセルを選択し、
前記測定部は、前記制御部により選択された前記マクロセルに対応する無線基地局装置から受信した報知信号の無線品質を測定し、測定された前記無線品質を含む無線品質報告信号を呼接続中の前記無線基地局装置へ送信する、付記１に記載の移動無線装置。
（付記３）
前記報知信号に含まれる前記セルフラグは、無線基地局装置と接続された制御端末装置から前記無線基地局装置へ送信される、付記１又は２に記載の移動無線装置。
（付記４）
前記報知信号に含まれる前記セルフラグは、日付、曜日、及び時刻に応じて前記セルフラグの設定が変更されるセルフラグ設定リストに従って前記制御端末装置から前記無線基地局装置へ送信される、付記３に記載の移動無線装置。
（付記５）
無線基地局装置に対応するセルを識別するセル識別子と前記セルがスモールセルかマクロセルかを識別するセルフラグとを含む報知信号を送信する前記無線基地局装置と、
移動無線装置が存在する位置の周辺セルに対応する１つ以上の無線基地局装置から送信された前記報知信号を受信し、受信された前記報知信号に含まれるセル識別子及びセルフラグを取得し、取得された前記セル識別子及び前記セルフラグをセルリストに記憶させ、呼接続対象の通信のサービスに対するサービス品質クラスを確認し、前記セルリスト中にスモールセルを示すセルフラグが含まれる場合に確認された前記サービス品質クラスを用いて前記呼接続対象の通信のサービスが高スループットが要求されるサービスか否かを判断し、前記呼接続対象の通信のサービスが高スループットが要求されないサービスであると判断される場合に前記セルリストの中からマクロセルを選択し、選択された前記マクロセルに対応する無線基地局装置へ呼接続要求信号を送信する移動無線装置と
を含む移動通信システム。
（付記６）
前記移動無線装置と呼接続中の無線基地局装置から無線品質測定指示信号を前記測定部が受信した場合に、前記移動無線装置は、前記呼接続対象の通信のサービスが高スループットが要求されないサービスであると判断される場合には前記セルリストの中からマクロセルを選択し、選択された前記マクロセルに対応する無線基地局装置から受信した報知信号の無線品質を測定し、測定された前記無線品質を含む無線品質報告信号を呼接続中の前記無線基地局装置へ送信する、付記５に記載の移動通信システム。
（付記７）
前記移動通信システムは、無線基地局装置と接続された制御端末装置を含み、
前記制御端末装置は、前記報知信号に含まれる前記セルフラグを前記無線基地局装置へ送信する、付記５又は６に記載の移動通信システム。
（付記８）
前記制御端末装置は、日付、曜日、及び時刻に応じて前記セルフラグの設定が変更されるセルフラグ設定リストを含み、前記セルフラグ設定リストに従って前記無線基地局装置へ前記セルフラグ送信する、付記７に記載の移動通信システム。
（付記９）
移動無線装置が存在する位置の周辺セルに対応する１つ以上の無線基地局装置から送信された報知信号を受信し、
受信された前記報知信号に含まれる前記周辺セルを識別するセル識別子と前記周辺セルがスモールセルかマクロセルかを識別するセルフラグとを取得し、
取得された前記セル識別子及び前記セルフラグをセルリストに記憶し、
呼接続対象の通信のサービスに対するサービス品質クラスを確認し、
前記セルリスト中にスモールセルを示すセルフラグが含まれる場合に、前記サービス確認部により確認された前記サービス品質クラスを用いて前記呼接続対象の通信のサービスが高スループットが要求されるサービスか否かを判断し、
前記呼接続対象の通信のサービスが高スループットが要求されないサービスであると判断される場合に前記セルリストの中からマクロセルを選択し、
選択された前記マクロセルに対応する無線基地局装置へ呼接続要求信号を送信する
処理をコンピュータに実行させるセル選択制御プログラム。
（付記１０）
前記移動無線装置と呼接続中の無線基地局装置から無線品質測定指示信号を前記測定部が受信した場合に、前記呼接続対象の通信のサービスが高スループットが要求されないサービスであると判断される場合には前記セルリストの中からマクロセルを選択し、
選択された前記マクロセルに対応する無線基地局装置から受信した報知信号の無線品質を測定し、
測定された前記無線品質を含む無線品質報告信号を呼接続中の前記無線基地局装置へ送信する
処理をコンピュータに実行させる付記９に記載のセル選択制御プログラム。
（付記１１）
前記報知信号に含まれる前記セルフラグは、無線基地局装置と接続された制御端末装置から前記無線基地局装置へ送信される、付記９又は１０に記載のセル選択制御プログラム。
（付記１２）
前記報知信号に含まれる前記セルフラグは、日付、曜日、及び時刻に応じて前記セルフラグの設定が変更されるセルフラグ設定リストに従って前記制御端末装置から前記無線基地局装置へ送信される、付記１１に記載のセル選択制御プログラム。
【符号の説明】
【０１３８】
１        移動通信システム
１０、１０Ａ、ＭＳ      移動無線装置
１１      外部インタフェース部
１２      制御部１２
１２Ａ      測定部
１２Ｂ      サービス確認部
１３      記憶部
１３Ａ      セル選択リスト
１４      ベースバンド部
１５      変調部
１６      送信部
１７      アンテナ
１８      受信部
１９      復調部
１０Ａ−１      プロセッサ
１０Ａ−２      ＡＳＩＣ
１０Ａ−３      ストレージ
１０Ａ−４      記憶媒体用ドライブ
１０Ａ−５      入力装置
１０Ａ−６      出力装置
１０Ａ−７      無線通信装置
１０Ａ−８      バス
２０      スモールセル用無線基地局装置
２１０、２１０Ａ      無線装置
２１１      第１インタフェース部
２１２      変調部
２１３      送信部
２１４      アンテナ
２１５      受信部
２１６      復調部
２１０Ａ−１      プロセッサ
２１０Ａ−２      ＡＳＩＣ
２１０Ａ−３      ストレージ
２１０Ａ−４      入力装置
２１０Ａ−５      出力装置
２１０Ａ−６      無線通信装置
２１０Ａ−７      バス
２２０、２２０Ａ      無線制御装置
２２１      第２インタフェース部
２２２      制御部
２２４      ベースバンド部
２２５      第３インタフェース部
２２０Ａ−１      プロセッサ
２２０Ａ−２      ＡＳＩＣ
２２０Ａ−３      ストレージ
２２０Ａ−４      記憶媒体用ドライブ
２２０Ａ−５      コアネットワーク用入力装置
２２０Ａ−６      コアネットワーク用出力装置
２２０Ａ−７      無線装置用入力装置
２２０Ａ−８      無線装置用出力装置
２２０Ａ−８      無線通信装置
２２０Ａ−９      バス
３０      マクロセル用無線基地局装置
４０      スモールセル用子局装置
５０      マクロセル用子局装置
６０      親局装置
７０      移動管理装置
７１      インタフェース部
７２      制御部
７２Ａ      ハンドオーバ制御部
７３      記憶部
８０      サービングゲートウェイ
８１      インタフェース部
８２      Ｕ−Ｐｌａｎｅルーティング部
８３      制御部
８４      記憶部
９０      ホーム加入者サーバ
１００      パケットデータネットワークゲートウェイ
１０１      インタフェース部
１０２      制御部
１０２Ａ      ＱｏＳ制御部
１０３      記憶部
１１０      ＰＣＲＦ
１２０      制御端末装置
１２１      ＣＰＵ
１２２      メモリ
１２３      ストレージ
１２４      記憶媒体用ドライブ
１２５      入力装置
１２６      出力装置
１２７      通信インタフェース
１２８      バス
１３０      インターネット
１４０、ＳＣ      スモールセル
１５０、ＭＣ      マクロセル
【図１】
2015146541.tif 000003
【図２】
2015146541.tif 000004
【図３】
2015146541.tif 000005
【図４】
2015146541.tif 000006
【図５】
2015146541.tif 000007
【図６】
2015146541.tif 000008
【図７】
2015146541.tif 000009
【図８】
2015146541.tif 000010
【図９】
2015146541.tif 000011
【図１０】
2015146541.tif 000012
【図１１】
2015146541.tif 000013
【図１２】
2015146541.tif 000014
【図１３】
2015146541.tif 000015
【図１４】
2015146541.tif 000016
【図１５】
2015146541.tif 000017
【図１６】
2015146541.tif 000018
【図１７】
2015146541.tif 000019
【図１８】
2015146541.tif 000020
【図１９】
2015146541.tif 000021
【図２０】
2015146541.tif 000022
【図２１】
2015146541.tif 000023